(57)【特許請求の範囲】
【請求項１】
スイッチギヤ本体の枠体に、引出機器のインターロック板，レールを取り付けた底板、及び前記引出機器の上部可動接触子，下部可動接触子がそれぞれ接離する上部固定接触子，下部固定接触子を、直接取り付ける際に使用し、取り付け後は取り外す取付治具であって、
前記底板が着脱自在に接続されるボルト挿通孔が透設された底板取付金物と、
前記底板取付金物から後方へ延設された延設金物と、
前記延設金物の後部の両側から上方へ立設され，前記上部固定接触子が上部碍子を介して取り付けられた上部取付板、及び前記下部固定接触子が下部碍子を介して取り付けられた下部取付板が、着脱自在に接続されるボルト挿通孔が透設された取付板取付金物と
からなることを特徴とする引出機器断路部の取付治具。
【請求項２】
スイッチギヤ本体の外部において、
取付治具の底板取付金物に、引出機器のインターロック板，レールを取り付けた底板を取り付け、
前記底板から後方へ延設された延設金物の後部の両側から上方へ立設された取付板取付金物に、上部碍子を介して上部固定接触子を取り付けた上部取付板、及び下部碍子を介して下部固定接触子を取り付けた下部取付板を取り付け、
前記インターロック板，前記レール，前記上部固定接触子及び前記下部固定接触子の取付位置を調整して調整済構造物を構成し、
前記調整済構造物をスイッチギヤ本体の枠体内に挿入し、
前記枠体に、前記底板，前記上部取付板及び前記下部取付板を、直接ボルトにより取り付け、
その取り付け後、前記取付治具を取り外す
ことを特徴とする引出機器断路部の取付方法。
【発明の詳細な説明】
【０００１】
【発明の属する技術分野】
本発明は、スイッチギヤ本体の枠体に、真空遮断器，補機台車等の引出機器のインターロック板，レールを取り付けた底板、及び引出機器の上部可動接触子，下部可動接触子がそれぞれ接離する上部固定接触子，下部固定接触子を、取り付ける際に使用する取付治具及び取付方法に関する。
【０００２】
【従来の技術】
従来の金属閉鎖形スイッチギヤは、図７に示すように、スイッチギヤ本体１の枠体２に固定された構造物としてのハウジング３に、遮断器等の引出機器４が入出自在に収納される。
【０００３】
そのハウジング３は、スイッチギヤ本体１の外部において、図８に示すように、両側のハウジング側面支柱５の下部に、インターロック板６，レール７を取り付けた底板８を取り付け、両支柱５の上部に、上部碍子９を介して上部固定接触子１０を取り付けた上部取付板１１を取り付け、両支柱５の中間部に、下部碍子１２を介して下部固定接触子１３を取り付けた下部取付板１４を取り付け、上部固定接触子１０，下部固定接触子１３の相間寸法、及び底板８に対する取付高さ、インターロック板６，レール７の取付位置等を調整する。
【０００４】
その調整をした後、ハウジング３全体をスイッチギヤ本体１の枠体２内に挿入し、ハウジング３を枠体２に取り付けている。
【０００５】
この場合、スイッチギヤ本体１の外部において、ハウジング３に各部が調整して取り付けられているため、ハウジング３を枠体２に取り付ければ、各部の調整は不要である。
【０００６】
そして、図７に示す引出機器４の上部可動接触子１５及び下部可動接触子１６が、それぞれ上部固定接触子１０及び下部固定接触子１３に接離する。
【０００７】
【発明が解決しようとする課題】
従来の前記スイッチギヤの場合、両側のハウジング側面支柱５は、スイッチギヤの機能としては不要のものであり、コストアップの原因になっている。
【０００８】
また、この側面支柱５は、周囲の充電部及び構造物に対して絶縁距離不足，干渉等の問題があり、スイッチギヤの縮小化に際し障害となっている。
【０００９】
一方、これらの問題を解決するために、側面支柱５を使用せず、スイッチギヤ本体１を直接引出機器４のハウジングとして使用する方法が考えられる。
【００１０】
この方法は、底板８及び上部固定接触子１０，下部固定接触子１３を、それぞれ別々にスイッチギヤ枠体２に直接取り付け、その取り付け後、各固定接触子１０，１３の相間寸法及び取付高さ、インターロック板６，レール７の取付位置等を調整する。
【００１１】
しかし、この場合、スイッチギヤ本体１の内部での調整作業であるため、スペースが狭くて作業が困難であり、調整に長時間を要するという問題点がある。
【００１２】
本発明は、前記の点に留意し、各部の調整をスイッチギヤ本体の外部において行い、調整が容易で調整時間の短縮が図れ、かつ、従来のハウジング側面支柱のようなスイッチギヤの機能としては不要なものがなく、コストダウン及びスイッチギヤの縮小化が可能になる引出機器断路部の取付治具及び取付方法を提供することを目的とする。
【００１３】
【課題を解決するための手段】
前記課題を解決するために、本発明の引出機器断路部の取付治具は、スイッチギヤ本体の枠体に、引出機器のインターロック板，レールを取り付けた底板、及び前記引出機器の上部可動接触子，下部可動接触子がそれぞれ接離する上部固定接触子，下部固定接触子を、直接取り付ける際に使用し、取り付け後は取り外す取付治具であって、
前記底板が着脱自在に接続されるボルト挿通孔が透設された底板取付金物と、前記底板取付金物から後方へ延設された延設金物と、前記延設金物の後部の両側から上方へ立設され，前記上部固定接触子が上部碍子を介して取り付けられた上部取付板、及び前記下部固定接触子が下部碍子を介して取り付けられた下部取付板が、着脱自在に接続されるボルト挿通孔が透設された取付板取付金物とからなる。
【００１４】
また、本発明の引出機器断路部の取付方法は、スイッチギヤ本体の外部において、
取付治具の底板取付金物に、引出機器のインターロック板，レールを取り付けた底板を取り付け、前記底板から後方へ延設された延設金物の後部の両側から上方へ立設された取付板取付金物に、上部碍子を介して上部固定接触子を取り付けた上部取付板、及び下部碍子を介して下部固定接触子を取り付けた下部取付板を取り付け、
前記インターロック板，前記レール，前記上部固定接触子及び前記下部固定接触子の取付位置を調整して調整済構造物を構成し、前記調整済構造物をスイッチギヤ本体の枠体内に挿入し、前記枠体に、前記底板，前記上部取付板及び前記下部取付板を、直接ボルトにより取り付け、その取り付け後、前記取付治具を取り外すものである。
【００１５】
前記構成により取付治具が、底板取付金物と延設金物と取付板取付金物とからなり、スイッチギヤ本体の外部において、底板取付金物に、インターロック板，レールを取り付けた底板を取り付け、取付板取付金物に、上部固定接触子を取り付けた上部取付板、及び下部固定接触子を取り付けた下部取付板を取り付け、上部固定接触子及び下部固定接触子の相間寸法及び底板に対する取付高さ、インターロック板，レールの取付位置等を調整し、その調整した調整済構造物をスイッチギヤ本体の枠体内に挿入し、その枠体に底板，上部取付板及び下部取付板を直接ボルトにより取り付け、その取り付け後、取付治具を取り外す。
【００１６】
この場合、各固定接触子，インターロック板及びレールが調整済の位置にあり、スイッチギヤ本体の内部の狭いスペースでの調整作業がなく、スイッチギヤ本体の外部での調整作業であり、調整が容易で調整時間の短縮が図れ、かつ、従来のハウジング側面支柱のようなスイッチギヤの機能として不要なものがなく、コストダウン及びスイッチギヤの縮小化が可能になる。
また、取付治具は、何度でも使用可能である。
【００１７】
そしてまた、スイッチギヤの現地据え付け後、事故等何らかの理由により固定接触子等の取り換えが必要になった場合、断路部の調整済構造物を、スイッチギヤ本体の枠体内に挿入し、固定接触子等を枠体に取り付けることにより、現地での作業時間短縮，停電時間短縮等が図れる。
【００１８】
【発明の実施の形態】
本発明の実施の１形態を図１ないし図６を参照して説明する。それらの図において図７及び図８と同一符号は同一もしくは相当するものを示す。
取付治具１７は、底板取付金物１８と、この底板取付金物１８から後方へ延設された延設金物１９と、この延設金物１９の後部の両側から上方へ立設された取付板取付金物２０とからなる。
【００１９】
底板取付金物１８は、断面Ｌ形で内面に三角形の複数個の補強片２１が接合され、ボルト２２が、透設されたボルト挿通孔（図示せず）と底板８の後部の透孔２３に挿通され、底板８と底板取付金物１８とが着脱自在に接続されるようになっている。
【００２０】
延設金物１９は、平板状の基板２４の両側から下方へ側片２５が形成されるとともに、基板２４の前縁から下方へ前片２６が形成され、前片２６の両側に耳片２７が形成され、ボルト２８が、底板取付金物１８及び前片２６，両耳片２７の透孔に挿通され、底板取付金物１８と延設金物１９が着脱自在に接続される。
【００２１】
両取付板取付金物２０は、縦板２９と、縦板２９の後端から内方へ折曲された折曲板３０と、縦板２９の前端から外方へ折曲された補強板３１とからなり、ボルト３２が、縦板２９の下端部の透孔及び延設金物１９の側片２５の後端部の透孔に挿通され、延設金物１９に両取付板取付金物２０が接続される。
【００２２】
一方、左右方向の上部取付板３３の前面の３個の上部碍子３４に、それぞれ上向きの上部固定接触子導体３５と前向きの上部固定接触子３６が、ボルト３７により取り付けられ、上部取付板３３の下方に左右方向の下部取付板３８が位置し、その下部取付板３８の前面の３個の下部碍子３９に、それぞれＬ形の下部固定接触子４０が、ボルト４１に取り付けられ、下部固定接触子４０の一片が前向きで他片が下向きになっている。
【００２３】
そして、ボルト（図示せず）が、両取付板取付金物２０の折曲板３０の上部取付孔４２及び上部取付板３３の透孔に挿通され、両折曲板３０の上部に上部取付板３３が接続され、ボルト（図示せず）が、両折曲板３０の中間部取付孔４３及び下部取付板３８の透孔４４に挿通され、両折曲板３０の中間部に下部取付板３８が接続される。
【００２４】
つぎに、引出機器の断路部の取り付けについて説明する。スイッチギヤ本体１の外部において、取付治具１７に底板８，上部取付板３３及び下部取付板３８の取り付けを行い、上部固定接触子３６，下部固定接触子４０の相間寸法、及び底板８に対する取付高さ、底板８のインターロック板６，レール７の取付位置等を調整し、調整済構造物４５を構成する。
【００２５】
そして、その調整済構造物４５を、図２及び図３に示すように、スイッチギヤ本体１の正面より枠体２内に挿入し、底板８の両側部の取付孔４６にボルト４７を挿通して底板８を枠体２に取り付け、上部取付板３３の両端部の取付孔４８にボルト４９を挿通して上部取付板３３を枠体２に取り付け、下部取付板３８の両端部の取付孔５０にボルト５１を挿通して下部取付板３３を枠体２に取り付ける。
【００２６】
底板８，上部取付板３３及び下部取付板３８の枠体２への取り付け後、取付治具１７の底板８との取付ボルト２２及び上部取付板３３，下部取付板３８との取付ボルトを外し、取付治具１７を取り外す。
【００２７】
その取り外した状態は、図４及び図５に示す通りであり、上部固定接触子３６，下部固定接触子４０，インターロック板６及びレール７等の取付位置は、前記の通り、既にスイッチギヤ本体１の外部において調整済であり、スイッチギヤ本体１内での調整は不要である。
【００２８】
前記形態の場合、取付治具１７が、底板取付金物１８と延設金物１９と取付板取付金物２０とからなり、スイッチギヤ本体１の外部において、底板取付金物１８に、インターロック板６，レール７を取り付けた底板８を取り付け、取付板取付金物２０に、上部固定接触子３６を取り付けた上部取付板３３、及び下部固定接触子４０を取り付けた下部取付板３８を取り付け、上部固定接触子３６及び下部固定接触子４０の相間寸法及び底板８に対する取付高さ、インターロック板６，レール７の取付位置等を調整し、その調整した調整済構造物４５をスイッチギヤ本体１の枠体２内に挿入し、その枠体２に底板８，上部取付板３３及び下部取付板３８を直接ボルトにより取り付け、その取り付け後、取付治具１７を取り外すようにしている。
【００２９】
従って、各固定接触子３６，４０，インターロック板６及びレール７が調整済の位置にあり、スイッチギヤ本体１の内部の狭いスペースでの調整作業がなく、スイッチギヤ本体１の外部での調整作業であり、調整が容易で調整時間の短縮が図れ、かつ、従来のハウジング側面支柱５のようなスイッチギヤの機能として不要なものがなく、コストダウン及びスイッチギヤの縮小化が可能になる。
さらに、取付治具１７は、何度でも使用可能である。
【００３０】
なお、取付板取付金物２０には、図６に示すように、複数の取付孔を形成しておけば、引出機器４の定格の違いにより、引出機器４の接触子高さが変化した場合にも、直ちに対応することができる。
【００３１】
また、図示の取付治具１７は、底板取付金物１８と延設金物１９をボルト２２により接続し、延設金物１９と両取付板取付金物２０をボルト３２により接続するようにしているが、これらの金物１８，１９，２０をボルトでなく溶接その他により一体形にしてもよい。
【００３２】
【発明の効果】
本発明は、以上説明したように構成されているので、以下に記載する効果を奏する。
取付治具１７が、底板取付金物１８と延設金物１９と取付板取付金物２０とからなり、スイッチギヤ本体１の外部において、底板取付金物１８に、インターロック板６，レール７を取り付けた底板８を取り付け、取付板取付金物２０に、上部固定接触子３６を取り付けた上部取付板３３、及び下部固定接触子４０を取り付けた下部取付板３８を取り付け、上部固定接触子３６及び下部固定接触子４０の相間寸法及び底板８に対する取付高さ、インターロック板６，レール７の取付位置等を調整し、その調整した調整済構造物４５をスイッチギヤ本体１の枠体２内に挿入し、その枠体２に底板８，上部取付板３３及び下部取付板３８を直接ボルトにより取り付け、その取り付け後、取付治具１７を取り外すため、各固定接触子３６，４０，インターロック板６及びレール７が調整済の位置にあり、スイッチギヤ本体１の内部の狭いスペースでの調整作業がなく、スイッチギヤ本体１の外部での調整作業であり、調整が容易で調整時間の短縮を図ることができ、かつ、従来のハウジング側面支柱５のようなスイッチギヤの機能として不要なものがなく、コストダウン及びスイッチギヤの縮小化を可能にすることができる。
さらに、取付治具は１７、何度でも使用可能である。
【００３３】
その上、スイッチギヤの現地据え付け後、事故等何らかの理由により固定接触子等の取り換えが必要になった場合、断路部の調整済構造物４５を、スイッチギヤ本体１の枠体２内に挿入し、固定接触子等を枠体に取り付けることにより、現地での作業時間短縮，停電時間短縮等を図ることができる。
【図面の簡単な説明】
【図１】本発明の実施の１形態の斜視図である。
【図２】図１をスイッチギヤ本体内に挿入した斜視図である。
【図３】図２の一部の除去図である。
【図４】図２から取付治具を除去した斜視図である。
【図５】図４の一部の除去図である。
【図６】図１の取付板取付金物の斜視図である。
【図７】従来のスイッチギヤの側面図である。
【図８】図７の内部の斜視図である。
【符号の説明】
１  スイッチギヤ本体
２  枠体
６  インターロック板
７  レール
８  底板
１７  取付治具
１８  底板取付金物
１９  延設金物
２０  取付板取付金物
３３  上部取付板
３４  上部碍子
３６  上部固定接触子
３８  下部取付板
３９  下部碍子
４０  下部固定接触子
４５  調整済構造物
【図１】
0003991469.tif 000002
【図２】
0003991469.tif 000003
【図３】
0003991469.tif 000004
【図４】
0003991469.tif 000005
【図５】
0003991469.tif 000006
【図６】
0003991469.tif 000007
【図７】
0003991469.tif 000008
【図８】
0003991469.tif 000009